(57)【要約】  本発明は、フロントパネル（７）を引き出し容器（８）に着脱可能かつ位置調整可能に固定する固定装置（６）を備える引き出し構造（５）に関する。フロントパネル（７）は、フロントパネル（７）に予め取り付けられた接続要素（９）を用いて固定装置（６）に着脱可能に接続されうる。垂直方向（ＨＲ）のフロントパネル（７）の位置を調整するために第１の調整要素（１）が容器（８）に関係付けられ、横方向（ＳＲ）のフロントパネル（７）の位置を調整するために第２の調整要素（２）が容器（８）に関係付けられ、少なくとも第１の調整要素（１）および第２の調整要素（２）は、接続要素（９）の同じ部分と係合する。【選択図】図３
2013518622.tif 000002
【特許請求の範囲】
【請求項１】
フロントパネル（７）を引き出し容器（８）に解放可能かつ位置調整可能に固定する固定装置（６）を備える引き出しフレーム構造（５）であって、前記フロントパネル（７）は、該フロントパネル（７）に予め取り付け可能な接続要素（９）を介して前記固定装置（６）に解放可能に接続することができ、第１の調整要素（１）が、高さ方向（ＨＲ）の前記フロントパネル（７）の位置を調整するために前記容器（８）に関係付けられており、第２の調整要素（２）が、横方向（ＳＲ）の前記フロントパネル（７）の位置を調整するために前記容器（８）に関係付けられ、少なくとも前記第１の調整要素（１）および第２の調整要素（２）は、前記接続要素（９）の同じ部分に係合することを特徴とする、引き出しフレーム構造（５）。
【請求項２】
前記第１の調整要素（１）および前記第２の調整要素（２）によって係合される前記接続要素（９）の部分（１０）は、一体で形成され、実質的に板状構造であることを特徴とする、請求項１に記載の引き出しフレーム構造。
【請求項３】
前記板状部分（１０）は、凹所（１１）を有しており、前記調整要素（１、２）は、前記凹所（１１）に係合することを特徴とする、請求項１または請求項２に記載の引き出しフレーム構造。
【請求項４】
前記板状部分（１０）は、保持延長部（１２）、好ましくは小杭によって前記フロントパネル（７）に固定されることを特徴とする、請求項２または請求項３に記載の引き出しフレーム構造。
【請求項５】
好ましくはウォーム（１３）の形態の前記第１の調整要素（１）が移動すると前記板状部分（１０）は前記容器（８）に対して横方向（ＳＲ）に移動し、好ましくは偏心輪（１４）の形態の前記第２の調整要素（２）が移動すると前記板状部分（１０）は前記容器（８）に対して高さ方向（ＨＲ）に移動することを特徴とする、請求項２〜４のいずれか一項の引き出しフレーム構造。
【請求項６】
前記第１の調整要素（１）と、前記高さ方向（ＨＲ）の前記板状部分（１０）の前記凹所（１１）との間にクリアランス（ＳＨＲ）があり、該クリアランスによって前記高さ方向（ＨＲ）の前記第２の調整要素（２）が移動可能になることを特徴とする、請求項５に記載の引き出しフレーム構造。
【請求項７】
前記第２の調整要素（２）と、前記横方向（ＳＲ）の前記板状部分（１０）の前記凹所（１１）との間にクリアランス（ＳＳＲ）があり、該クリアランスによって前記横方向（ＳＲ）の前記第１の調整要素（１）が移動可能になることを特徴とする、請求項５に記載の引き出しフレーム構造。
【請求項８】
ロック装置（４）が、前記フロントパネル（７）を前記引き出しフレーム構造（５）に解放可能に固定するために、前記容器（８）に関係付けられており、前記接続要素（９）は、前記ロック装置（４）をロック位置（Ｖ）から解放位置（Ｌ）に移動することによって、前記容器（８）から解放可能であることを特徴とする、請求項１〜７のいずれか一項の引き出しフレーム構造。
【請求項９】
前記ロック装置（４）も、前記接続要素（９）の前記板状部分（１０）に係合することを特徴とする、請求項８に記載の引き出しフレーム構造。
【請求項１０】
前記フロントパネル（７）の傾斜を調整するために、第３の調整要素（３）が前記接続要素（９）の前記板状部分（１０）に係合することを特徴とする、請求項１〜９のいずれか一項の引き出しフレーム構造。
【請求項１１】
前記調整要素（１、２）および前記ロック装置（４）は、好ましくは実際にねじ回しによって回転可能であり、移動可能であり、かつ自動ロック式であるように適合されることを特徴とする、請求項１〜１０のいずれか一項の引き出しフレーム構造。
【請求項１２】
請求項１〜１１のいずれか一項の引き出しフレーム構造（５）を有する引き出し（１５）。
【請求項１３】
請求項１２に記載の引き出し（１５）を有する家具（１６）。
【発明の詳細な説明】
【技術分野】
【０００１】
本発明は、フロントパネルを引き出し容器に解放可能かつ位置調整可能に固定する固定装置を備える引き出しフレーム構造に関し、フロントパネルは、フロントパネルに予め取り付けられうる接続要素を介して固定装置に解放可能に接続することができ、高さ方向のフロントパネルの位置を、このような引き出しフレーム構造を有する引き出しと、引き出しフレーム構造を備える引き出しを有する家具とともに調整するために、第１の調整要素が容器に関係付けられる。
【背景技術】
【０００２】
引き出しフレーム構造は、一般に、引き出しに安定性を与える、引き出しの一部を形成する。多くの場合、これらの引き出しフレーム構造は、引き出しが延長ガイドに取り付けられている引き出しの下外側領域にあり、延長ガイド自体は家具のカーカスに取り付けられている。
【０００３】
一般的な種類の引き出しフレーム構造に関する国際公開第ＷＯ２００９／００６６５１（Ａ２）パンフレットから知られる通り、フロントパネルが固定される固定装置が、フロントパネルの方向を向く引き出しフレーム構造の領域に配置されている。さらに、たとえば、高さ方向、横方向、および傾斜方向のフロントパネルの位置調整を可能にする様々な移動機構が、固定装置の領域に配置されている。その点に関して、調整要素は、高さおよび傾斜を調整するための容器（フレーム構造）に関係付けられるが、横方向調整のための調整要素は、フロントパネルに関係付けられる。その明細書で分かるように、その機構全体は、固定領域に比較的大きい空間を必要とし、非常に多くの部品を含む複雑で高価な構造のものである。
【０００４】
独国特許第ＤＥ４３０５０７４（Ａ１）号明細書は、基本的に、引き出し側壁に対してフロントパネルの高さ方向および横方向の調整を可能にする引き出しパネル固定装備品を示している。その場合、高さ方向の調整は、保持突出部と、固定部（長手方向スロット）に対するねじとによって行われる。また、高さは、ねじピンによって固定されうる。比較すると、フロントパネルの横方向の調整は、フロントパネルに接続される固定部分によって直接的に行われ−それゆえ、フロントパネルに関係付けられ、引き出しまたはその側壁には関係付けられず−引き出しまたはその側壁ではスロットを介して行われる。スロットに沿った横方向への移動は、固定ねじを緩めると実際の調整要素なしで手だけで行うことができる。
【０００５】
同じように、これは、別の一般的な種類の装置のものである豪州特許第ＡＴ３０４８０２（Ｂ）号明細書にも当てはまる。その明細書によると、キャリアプレートとフロントパネルの間に横方向調整のためのスロットのみがある。開口に関連して高さ方向の調整に関与するねじは、キャリアプレートが予め取り付けられた状態のフロントパネルの解放位置にあるときのように容器に関係付けられず、ねじは、キャリアプレートのねじ穴の中に残っており−それゆえフロントパネルに関係付けられる。
【０００６】
また、別の種類の装置に関係する独国特許第ＤＥ８５３１７５２（Ｕ１）号明細書においても、存在する調整ねじが接続要素（保持部品）に関係付けられていることが記載されている。さらに、横方向移動のための実際の調整要素がない。
【０００７】
また、別の種類の装置に関係する独国特許第ＤＥ２０２００７０１１５１８（Ｕ１）号明細書においても、フロントパネルに接続される装置に関係付けられる高さ方向および横方向調整のためのボルトが記載されている。換言すると、接続要素は、容器に関係付けられるキャリア部材から、またはフレーム構造から、ボルトでのみ解放することができ、それによって、調整要素が容器に関係付けられることはない。
【０００８】
同様に、別の一般的な種類の装置に関する欧州特許第１６３９９１７（Ａ１）号明細書においても、接続要素に関連するねじが示されており、さらに、実際の横方向調整要素に関する教示はない。
【先行技術文献】
【特許文献】
【０００９】
【特許文献１】国際公開第ＷＯ２００９／００６６５１（Ａ２）パンフレット
【特許文献２】独国特許第ＤＥ４３０５０７４（Ａ１）号明細書
【特許文献３】豪州特許第ＡＴ３０４８０２（Ｂ）号明細書
【特許文献４】独国特許第ＤＥ８５３１７５２（Ｕ１）号明細書
【特許文献５】欧州特許第ＥＰ１６３９９１７（Ａ１）号明細書
【発明の概要】
【発明が解決しようとする課題】
【００１０】
本発明の目的は、最新技術によって改良を加えられ、構造的にさほど複雑でも高価でもなく、しかも簡素化される固定装置を備える引き出しフレーム装置を提供することである。特に、本発明は、必要な空間を少なくしたものを提供しようとするものである。とはいえ、フロントパネルの解放および位置調整に関する機能性は、基本的に維持されるべきである。
【課題を解決するための手段】
【００１１】
請求項１の分類部分の特徴を有する引き出しフレーム構造の場合、本発明によると、横方向のフロントパネルの位置を調整するために、第２の調整要素が容器に関係付けられることでその目的が達成され、少なくとも第１および第２の調整要素は、接続要素の同じ部分に係合する。特に、第１および第２の調整要素によって係合される接続要素の部分が一体形で形成され、かつ実質的に板状構造のものである場合、固定装置に非常に狭い配向しか与えることができない。特に、引き出しフレーム構造は、そのため、最新技術との関連で下部領域において拡大されず、それによって、引き出し壁全体が１５ｍｍ程度の幅となる。好ましくは、幅は１１ｍｍ未満であり、最大でもわずか８ｍｍの場合もある。
【００１２】
好ましくは、第１の調整要素およびさらには第２の調整要素の両方によって係合される接続要素の部分は、一体形で形成される。しかしながら、接続要素の上記部分が、組み立てられた状態で互いに固定された移動不可能な位置関係を有する複数の部分を備えているとはいえ、請求項１に記載の部分と同じ部分を形成することも確かに考えられる。
【００１３】
好ましくは、板状部分が凹所を有しており、調整要素がこの凹所に係合するものと規定されうる。
【００１４】
本発明のさらなる好ましい変形物は、好ましくはウォーム状の第１の調整要素が移動すると板状部分が容器に対して横方向に移動し、好ましくは偏心輪状の第２の調整要素が移動すると板状部分が容器に対して高さ方向に移動する。同じ板状部分で異なる調整要素のこのような移動を可能にするために、他の調整要素による移動を妨げないように、最新技術とは対照的に精確に駆動されていない調整要素に対して、十分なクリアランスが設けられなければならない。そのために、好ましくは、一方で、第１の調整要素と高さ方向の板状部分の凹所との間にクリアランスがあり、上記クリアランスによって第２の調整要素の高さ方向への移動が可能であり、他方で、第２の調整要素と横方向の板状部分の凹所との間にクリアランスがあり、上記クリアランスによって第１の調整要素の横方向への移動が可能であるものと規定されうる。
【００１５】
フロントパネルの引き出しフレーム構造に対する解放および接続を一般的に可能にするために、好ましくは、フロントパネルを引き出しフレーム構造に解放可能に固定するために、ロック装置が容器に関係付けられるものと規定することができ、接続要素は、ロック装置をロック位置から解放位置に移動することによって容器から解放されうる。その場合、弾性的に取り付けられたキャッチ部分を備えることもでき、フロントパネルの接続要素がキャッチ部分に入ると、引き出しフレーム構造にキャッチ部分が自動的に引き寄せられて直ちにロックが行われる。
【００１６】
ロック装置が備えられるときでも可能な限り狭い設計形状を実現するために、好ましくは、ロック装置がやはり接続要素の板状部分に係合するものと規定される。この場合も、他の調整要素の横方向および高さ方向の移動に対して、十分なクリアランスがあるべきである。
【００１７】
フロントパネルの傾斜を調整する接続要素の板状部分にやはり係合することが好ましい第３の調整要素が提供されることは、本発明において除外されるべきでない。
【００１８】
好ましくは、調整要素およびロック装置は、好ましくは実際にねじ回しによって回転可能であり、移動可能であり、かつ自動ロック式であるように適合されるものとさらに規定されうる。その場合、個々の調整要素およびロック装置には、外側または内側のいずれかからねじ回しが届きうる。
【００１９】
引き出しがその２つの側部領域で延長ガイドに固定されるので、引き出しフレーム構造は、通常、引き出し内の両側部にある。その場合、固定装置を備える本発明による引き出しフレーム構造は、一方の側部のみにあってもよく、両側部にあってもよい。また、ともあれ、フロントパネルでも、他の引き出しフレーム構造において行われる調整が可能であるべきである。調整要素またはロック装置が両側部に備えられる場合、調整は両側部において行われるべきである。
【００２０】
また、請求項１〜１１のいずれか一項の引き出しフレーム構造を有する引き出しと、請求項１２に記載の引き出しを有する家具とに対して保護が要求される。
【００２１】
本発明のさらなる詳細および利点を、以下の図面に示す実施形態を参照し、具体的な記述によって以下でさらに詳しく説明する。
【図面の簡単な説明】
【００２２】
【図１】家具の図を示す。
【図２】最新技術に基づく固定装置の線図を示す。
【図３】本発明による固定装置の線図を示す。
【図４】固定装置を備える引き出しフレーム構造の分解図を示す。
【図５】組み立てられた状態における固定装置を備える引き出しフレーム構造を示す。
【図６】平常位置における横方向調整要素の断面を示す。
【図７】平常位置における高さ方向調整要素の断面を示す。
【図８】ロック状態におけるロック装置の断面を示す。
【図９】横方向調整要素の断面領域の平面図を示す。
【図１０】横方向調整要素の末端位置の図を示す。
【図１１】横方向調整要素の末端位置の図を示す。
【図１２】高さ方向調整要素の末端位置の図を示す。
【図１３】高さ方向調整要素の末端位置の図を示す。
【図１４】ロック位置におけるロック装置を示す。
【図１５】解放位置におけるロック装置を示す。
【図１６】接続要素の二分割板状部分の線図を示す。
【図１７】接続要素における接続要素の（ラッチ）位置を示す。
【図１８】接続要素における接続要素の（ラッチ）位置を示す。
【図１９】接続要素における接続要素の（ラッチ）位置を示す。
【発明を実施するための形態】
【００２３】
図１は、家具カーカス１７と、家具カーカス１７において押し込んで引き出すことができる引き出し１７とを備える家具１６を示す。この場合、引き出し１５は、引き出し容器８とフロントパネル７とを実質的に備え、引き出し容器８は、引き出し底部３１と、引き出し後壁３２と、フレーム構造取付８および引き出しフレーム構造５とを含む。引き出しフレーム構造５は、最新技術の場合と同程度の幅であるものとして図１に示されており、最新技術では、引き出し１５の充填容積が小さく抑えられる。
【００２４】
図２は、容器レール１９に接続される引き出しフレーム構造５の部分と、高さ方向ＨＲにおける中間板２０を移動する第２の調整要素２とを図式的に示す。その中間板２０には、横方向ＳＲに接続要素１０を介してフロントパネル７を移動する、さらなる調整要素１が、配置される。
【００２５】
本発明に従って図３に示すように、図２に示す中間板２０はもはや必要でない。むしろ、引き出しフレーム構造５に関係付けられるのは、横方向ＳＲと高さ方向ＨＲに移動する少なくとも２つの調整要素１および２であり、これら２つの調整要素は、いずれも接続要素９の同じ部分１０に係合し、保持延長部１２（好ましくは小杭の形をした）を介して、板状部分１０の移動によって引き出し容器８に対してフロントパネル７の位置を変える。さらに、固定装置６も、接続要素９の同じ板状部分１０に係合することが好ましいロック装置４を有しうる。本発明に従って、「容器に関係付けられる」という表現は、フロントパネル７が取り外された状態（接続要素９がフロントパネル７に取り付けられた状態）の調整要素１および２が引き出し８（またはフレーム構造５とその固定装置６）に配置されることを意味する。
【００２６】
図４は、引き出しフレーム構造５の固定装置６の基本的な構成部分を分解図で示す。その場合、容器側では、固定装置６は、実質的にＵ字形のプロファイル部材２２を含み、ここには個々の調整要素１および２とロック装置４および４ａとが配置され、プロントパネル側に接続要素９が配置される。引き出しフレーム構造５は、Ｕ字形のプロファイル部材２２と、引き出し容器の前部から後側まで延在する細長い基部２１とを実質的に備える。引き出し底部３１の下側に配置された容器レール１９が、その引き出しフレーム構造に取り付けられており、引き出し底部３１を介して、引き出し１５全体が延長ガイド（図示せず）に固定されうる。
【００２７】
固定装置６の基本的な部分は、ウォーム１３および駆動部材２６を含む第１の調整要素１と、偏心輪１４および位置決めナット２５を含む高さ方向ＨＲにおける移動のための第２の調整要素２と、ロックねじ２３、ロック要素２４、およびロックばね３０をそれぞれ含む２つのロック要素４および４ａとである。フロントパネル７を固定するとき、これに取り付けられる接続要素９が、Ｕ字形プロファイル部材２２の受入手段２７に導入される。その接続要素９は、個々の調整要素１および２またはロック装置４および４ａにそれぞれ係合する様々な凹所１１を備える板状部分１０を有する。保持延長部１２が、曲げ要素２８を介して板上部分１０にわずかに弾性的に屈曲可能に接続される。ロック装置４および４ａと第１の調整要素１１に対応する凹所１１は、上から見て第２の凹所１１の中に係合する第２の調整要素２によって高さ方向に移動しうる高さ方向ＨＲに、十分なクリアランスＳＨＲを有する。
【００２８】
固定装置６の一様に広く同時に比較的狭い構造は、図５ではっきり分かる。そして同様に狭く一様に広いフレーム構造アタッチメント１８が、引き出しフレーム構造５のＵ字形プロファイル部材２２を介して基部２１に取り付けられうる。比較すると、特に、国際公開第２００９／００６６５１（Ａ２）パンフレットの図３では、下部領域で次第に広くなる引き出しフレーム構造を示しており、固定装置のすべての部分が通常はスペースを有しているはずがないので、引き出し容器の内部スペースも実質的に縮小されている。
【００２９】
詳細Ｄは、組み立てられた状態における固定装置６を示しており、接続要素９の板状部分１０は、個々の調整要素１、２およびロック装置４を有する凹所１１を介して、引き出しフレーム構造５と接続される。
【００３０】
図６において、ウォーム１３の断面Ａは、横方向ＳＲの移動がない場合の板状部分１０の平常位置を示す。
【００３１】
図７において、第２の要素２およびその偏心輪１４の詳細断面Ｂは、高さ方向ＨＲにおける板状部分１０の平常位置を示しており、横方向ＳＲに移動するための既に十分なクリアランスＳＳＲがある。位置決めナット２５は、Ｕ字形プロファイル部材２２（図４参照）に対応する押込みでラッチしうる多数のノブを有しており、それによって、偏心輪１４の移動後に自動ロック作用をもたらす。
【００３２】
図８において、詳細断面Ｃは、ロック装置４のロックねじ２３の断面を示しており、ロック要素２４はロック位置Ｖで部分１０に係合する。この領域でも、板状部分１０は、Ｕ字形プロファイル部材２２において横方向ＳＲに十分なクリアランスＳＳＲを有しており、第１の調整要素１による横方向の移動を可能にする。
【００３３】
図９は、横方向の移動を示しており、接続要素９の板状部分１０は、受入手段２７に挿入されると、Ｕ字形プロファイル部材２２の２つの側部の間のクランプ領域２９に入る。板状部分１０は、図９および１０の位置から出て、調整要素１のウォーム１３の回転によって図１１に示す位置に入り、それによって、容器８に対するフロントパネル７の位置が変更される。その場合、クランプ領域２９を中心とする板状部分１０のいわゆる旋回運動がある。図９に極端な形で示す、フロントパネル７の保持延長部１２の傾斜位置を補正するために、曲げ要素２８（図４参照）が、保持延長部１２と板状部分１０の間の接続領域に備えられる。
【００３４】
図９〜１１において分かるように、フレーム構造アタッチメント１８は、固定装置６全体およびＵ字形プロファイル部材２２に既に固定されており、個々の調整要素１および２またはロック装置４は、それぞれフレーム構造アタッチメント２２の開口からアクセス可能である。その場合、例示された実施形態とは対照的に、駆動は外側からも可能である。
【００３５】
図１２および１３は、調整要素２の末端位置を示しており、詳細Ｇに従って、板状部分１０は、Ｕ字形プロファイル部材２２に対して高さ方向ＨＲに完全に下方に配置され、図３では、板状部分１０は、Ｕ字形プロファイル部材２２に対して高さ方向ＨＲに完全に下方に配置される。板状部分１０は、偏心輪１４の回転によって上方および下方に移動する。
【００３６】
図１４の詳細Ｊは、板状部分１０のロック位置Ｖにおけるロック装置４のロック要素２４を示す。対照的に、図１５の詳細Ｋでは、ロック要素２４は、ロックばね３０のばね力に抗して右方向矢印で示される方向のロックねじ２３の回転によって、解放位置Ｌに移動する。
【００３７】
その点に関して図１７において分かるように、ロック装置４のロックは、板状部分１０のロック溝３４におけるロック要素２４のラッチ係合によって行われうる。高さ方向ＨＲに移動するためのロック溝３４に関しては、任意の高さ位置においてロック要素２４が板状部分１０におけるロック位置Ｖに入りうることを保証する必要があるので、十分なクリアランスＳＨＲが設けられる。また、図１７からも分かるように、ロック要素２４は、板状部分１０が導入されると自動的にスナップ係合することができ、その場合、ロック要素２４は、ロックばね３０のばね力に抗して部分的に板状部分１０の上端に沿って摺動しうる。好ましくは、凹所１１自体は、ロック要素２４がロック位置Ｖにスナップ係合するロック溝を形成する。そのために、図１８は、部分１０がＵ字形プロファイル部材２２に押し込まれるときのロック要素２４の位置を示し、その場合、ロック要素２４は、ばね２０の力に抗して回転され、部分１０が完全に挿入されると、ロック要素２４は、上凹所１１にスナップ係合されてロック位置Ｖに入る。換言すると、ロック装置４は、ボタンインばね荷重回転ロック（ｂｕｔｔｏｎｅｄ−ｉｎ  ｓｐｒｉｎｇ−ｌｏａｄｅｄ  ｒｏｔａｒｙ  ｌｏｃｋ）の形をしている。一般に、ロック装置４は、固定装置６において単独または二重に（参照符号４および４ａ）提供されうることに留意されたい。
【００３８】
図１６は、接続要素９について請求項１に列挙される部分と同じ部分が必ずしも一体形である必要がないことを示す。むしろ、同じ部分１０が２つの異なる部分１０ａおよび１０ｂを備えていてもよく、ただし、フロントパネル７に取り付けられた状態では、互いに固定されて、移動できない位置関係にある。
【００３９】
本出願に示す調整要素１および２の実質的な利点は、これらの調整要素がいわゆる「メモリ効果」を有することである。すなわち、接続要素９が解放後に固定装置６の他の部分に再び接続されると、調整要素１および２は、これらの自動ロック作用に基づいて、既に以前に採用された位置に常に留まり、それによって、フロントパネル７を取り外して再び取り付けた後に新たな位置設定を行う必要がない。本調整要素１および２の好ましい変形物は、明らかにウォーム１３および偏心輪１４であるが、接続要素９の１つの同じ部分１０を介して引き出し容器８に対して同様の方法で、歯車伝動装置などの他の自動ロック調整要素またはフロントパネル９の移動を可能にする他の非自動ロック調整要素を除外するものではない。
【図１】
2013518622.tif 000003
【図２】
2013518622.tif 000004
【図３】
2013518622.tif 000005
【図４】
2013518622.tif 000006
【図５】
2013518622.tif 000007
【図６】
2013518622.tif 000008
【図７】
2013518622.tif 000009
【図８】
2013518622.tif 000010
【図９】
2013518622.tif 000011
【図１０】
2013518622.tif 000012
【図１１】
2013518622.tif 000013
【図１２】
2013518622.tif 000014
【図１３】
2013518622.tif 000015
【図１４】
2013518622.tif 000016
【図１５】
2013518622.tif 000017
【図１６】
2013518622.tif 000018
【図１７】
2013518622.tif 000019
【図１８】
2013518622.tif 000020
【図１９】
2013518622.tif 000021
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
フロントパネル（７）を引き出し容器（８）に解放可能かつ位置調整可能に固定する固定装置（６）を備える引き出しフレーム構造（５）であって、前記フロントパネル（７）は、該フロントパネル（７）に予め取り付け可能な接続要素（９）を介して前記固定装置（６）に解放可能に接続することができ、第１の調整要素（２）が、高さ方向（ＨＲ）の前記フロントパネル（７）の位置を調整するために前記容器（８）に関係付けられており、第２の調整要素（１）が、横方向（ＳＲ）の前記フロントパネル（７）の位置を調整するために前記容器（８）に関係付けられ、少なくとも前記第１の調整要素（２）および第２の調整要素（１）は、前記接続要素（９）の同じ部分に係合することを特徴とする、引き出しフレーム構造（５）。
【請求項２】
前記第１の調整要素（２）の作動時に、接続要素（９）が前記容器（８）に対して横方向（ＳＲ）に移動可能であることを特徴とする、請求項１に記載の引き出しフレーム構造（５）。
【請求項３】
前記第１の調整要素（２）および前記第２の調整要素（１）によって係合される前記接続要素（９）の部分（１０）は、一体で形成され、実質的に板状構造であることを特徴とする、請求項１又は２に記載の引き出しフレーム構造。
【請求項４】
前記板状部分（１０）は、凹所（１１）を有しており、前記調整要素（１、２）は、前記凹所（１１）に係合することを特徴とする、請求項３に記載の引き出しフレーム構造。
【請求項５】
前記板状部分（１０）は、保持延長部（１２）、好ましくは小杭によって前記フロントパネル（７）に固定されることを特徴とする、請求項３または請求項４に記載の引き出しフレーム構造。
【請求項６】
好ましくはウォーム（１３）の形態の前記第２の調整要素（１）が移動すると前記板状部分（１０）は前記容器（８）に対して横方向（ＳＲ）に移動し、好ましくは偏心輪（１４）の形態の前記第１の調整要素（２）が移動すると前記板状部分（１０）は前記容器（８）に対して高さ方向（ＨＲ）に移動することを特徴とする、請求項３〜５のいずれか一項の引き出しフレーム構造。
【請求項７】
前記第２の調整要素（１）と、前記高さ方向（ＨＲ）の前記板状部分（１０）の前記凹所（１１）との間にクリアランス（ＳＨＲ）があり、該クリアランスによって前記高さ方向（ＨＲ）の前記第１の調整要素（２）が移動可能になることを特徴とする、請求項６に記載の引き出しフレーム構造。
【請求項８】
前記第１の調整要素（２）と、前記横方向（ＳＲ）の前記板状部分（１０）の前記凹所（１１）との間にクリアランス（ＳＳＲ）があり、該クリアランスによって前記横方向（ＳＲ）の前記第２の調整要素（１）が移動可能になることを特徴とする、請求項６に記載の引き出しフレーム構造。
【請求項９】
ロック装置（４）が、前記フロントパネル（７）を前記引き出しフレーム構造（５）に解放可能に固定するために、前記容器（８）に関係付けられており、前記接続要素（９）は、前記ロック装置（４）をロック位置（Ｖ）から解放位置（Ｌ）に移動することによって、前記容器（８）から解放可能であることを特徴とする、請求項１〜８のいずれか一項の引き出しフレーム構造。
【請求項１０】
前記ロック装置（４）も、前記接続要素（９）の前記板状部分（１０）に係合することを特徴とする、請求項９に記載の引き出しフレーム構造。
【請求項１１】
前記フロントパネル（７）の傾斜を調整するために、第３の調整要素（３）が前記接続要素（９）の前記板状部分（１０）に係合することを特徴とする、請求項１〜１０のいずれか一項の引き出しフレーム構造。
【請求項１２】
前記調整要素（１、２）および前記ロック装置（４）は、好ましくは実際にねじ回しによって回転可能であり、移動可能であり、かつ自動ロック式であるように適合されることを特徴とする、請求項１〜１１のいずれか一項の引き出しフレーム構造。
【請求項１３】
請求項１〜１２のいずれか一項の引き出しフレーム構造（５）を有する引き出し（１５）。
【請求項１４】
請求項１３に記載の引き出し（１５）を有する家具（１６）。
【手続補正２】
【補正対象書類名】明細書
【補正対象項目名】全文
【補正方法】変更
【補正の内容】
【書類名】明細書
【発明の名称】引き出し構造
【技術分野】
【０００１】
本発明は、フロントパネルを引き出し容器に解放可能かつ位置調整可能に固定する固定装置を備える引き出しフレーム構造に関し、フロントパネルは、フロントパネルに予め取り付けられうる接続要素を介して固定装置に解放可能に接続することができ、高さ方向のフロントパネルの位置を、このような引き出しフレーム構造を有する引き出しと、引き出しフレーム構造を備える引き出しを有する家具とともに調整するために、第１の調整要素が容器に関係付けられる。
【背景技術】
【０００２】
引き出しフレーム構造は、一般に、引き出しに安定性を与える、引き出しの一部を形成する。多くの場合、これらの引き出しフレーム構造は、引き出しが延長ガイドに取り付けられている引き出しの下外側領域にあり、延長ガイド自体は家具のカーカスに取り付けられている。
【０００３】
一般的な種類の引き出しフレーム構造に関する国際公開第ＷＯ２００９／００６６５１（Ａ２）パンフレットから知られる通り、フロントパネルが固定される固定装置が、フロントパネルの方向を向く引き出しフレーム構造の領域に配置されている。さらに、たとえば、高さ方向、横方向、および傾斜方向のフロントパネルの位置調整を可能にする様々な移動機構が、固定装置の領域に配置されている。その点に関して、調整要素は、高さおよび傾斜を調整するための容器（フレーム構造）に関係付けられるが、横方向調整のための調整要素は、フロントパネルに関係付けられる。その明細書で分かるように、その機構全体は、固定領域に比較的大きい空間を必要とし、非常に多くの部品を含む複雑で高価な構造のものである。
【０００４】
独国特許第ＤＥ４３０５０７４（Ａ１）号明細書は、基本的に、引き出し側壁に対してフロントパネルの高さ方向および横方向の調整を可能にする引き出しパネル固定装備品を示している。その場合、高さ方向の調整は、保持突出部と、固定部（長手方向スロット）に対するねじとによって行われる。また、高さは、ねじピンによって固定されうる。比較すると、フロントパネルの横方向の調整は、フロントパネルに接続される固定部分によって直接的に行われ−それゆえ、フロントパネルに関係付けられ、引き出しまたはその側壁には関係付けられず−引き出しまたはその側壁ではスロットを介して行われる。スロットに沿った横方向への移動は、固定ねじを緩めると実際の調整要素なしで手だけで行うことができる。
【０００５】
同じように、これは、別の一般的な種類の装置のものである豪州特許第ＡＴ３０４８０２（Ｂ）号明細書にも当てはまる。その明細書によると、キャリアプレートとフロントパネルの間に横方向調整のためのスロットのみがある。開口に関連して高さ方向の調整に関与するねじは、キャリアプレートが予め取り付けられた状態のフロントパネルの解放位置にあるときのように容器に関係付けられず、ねじは、キャリアプレートのねじ穴の中に残っており−それゆえフロントパネルに関係付けられる。
【０００６】
また、別の種類の装置に関係する独国特許第ＤＥ８５３１７５２（Ｕ１）号明細書においても、存在する調整ねじが接続要素（保持部品）に関係付けられていることが記載されている。さらに、横方向移動のための実際の調整要素がない。
【０００７】
また、別の種類の装置に関係する独国特許第ＤＥ２０２００７０１１５１８（Ｕ１）号明細書においても、フロントパネルに接続される装置に関係付けられる高さ方向および横方向調整のためのボルトが記載されている。換言すると、接続要素は、容器に関係付けられるキャリア部材から、またはフレーム構造から、ボルトでのみ解放することができ、それによって、調整要素が容器に関係付けられることはない。
【０００８】
同様に、別の一般的な種類の装置に関する欧州特許第１６３９９１７（Ａ１）号明細書においても、接続要素に関連するねじが示されており、さらに、実際の横方向調整要素に関する教示はない。
【先行技術文献】
【０００９】
【特許文献】
【特許文献１】国際公開第ＷＯ２００９／００６６５１（Ａ２）パンフレット
【特許文献２】独国特許第ＤＥ４３０５０７４（Ａ１）号明細書
【特許文献３】豪州特許第ＡＴ３０４８０２（Ｂ）号明細書
【特許文献４】独国特許第ＤＥ８５３１７５２（Ｕ１）号明細書
【特許文献５】欧州特許第ＥＰ１６３９９１７（Ａ１）号明細書
【発明の概要】
【発明が解決しようとする課題】
【００１０】
本発明の目的は、最新技術によって改良を加えられ、構造的にさほど複雑でも高価でもなく、しかも簡素化される固定装置を備える引き出しフレーム装置を提供することである。特に、本発明は、必要な空間を少なくしたものを提供しようとするものである。とはいえ、フロントパネルの解放および位置調整に関する機能性は、基本的に維持されるべきである。
【課題を解決するための手段】
【００１１】
請求項１の分類部分の特徴を有する引き出しフレーム構造の場合、本発明によると、横方向のフロントパネルの位置を調整するために、第２の調整要素が容器に関係付けられることでその目的が達成され、少なくとも第１および第２の調整要素は、接続要素の同じ部分に係合する。特に、第１および第２の調整要素によって係合される接続要素の部分が一体形で形成され、かつ実質的に板状構造のものである場合、固定装置に非常に狭い配向しか与えることができない。特に、引き出しフレーム構造は、そのため、最新技術との関連で下部領域において拡大されず、それによって、引き出し壁全体が１５ｍｍ程度の幅となる。好ましくは、幅は１１ｍｍ未満であり、最大でもわずか８ｍｍの場合もある。
【００１２】
好ましくは、第１の調整要素およびさらには第２の調整要素の両方によって係合される接続要素の部分は、一体形で形成される。しかしながら、接続要素の上記部分が、組み立てられた状態で互いに固定された移動不可能な位置関係を有する複数の部分を備えているとはいえ、請求項１に記載の部分と同じ部分を形成することも確かに考えられる。
【００１３】
好ましくは、板状部分が凹所を有しており、調整要素がこの凹所に係合するものと規定されうる。
【００１４】
本発明のさらなる好ましい変形物は、好ましくはウォーム状の第２の調整要素が移動すると板状部分が容器に対して横方向に移動し、好ましくは偏心輪状の第１の調整要素が移動すると板状部分が容器に対して高さ方向に移動する。同じ板状部分で異なる調整要素のこのような移動を可能にするために、他の調整要素による移動を妨げないように、最新技術とは対照的に精確に駆動されていない調整要素に対して、十分なクリアランスが設けられなければならない。そのために、好ましくは、一方で、第２の調整要素と高さ方向の板状部分の凹所との間にクリアランスがあり、上記クリアランスによって第１の調整要素の高さ方向への移動が可能であり、他方で、第１の調整要素と横方向の板状部分の凹所との間にクリアランスがあり、上記クリアランスによって第２の調整要素の横方向への移動が可能であるものと規定されうる。
【００１５】
フロントパネルの引き出しフレーム構造に対する解放および接続を一般的に可能にするために、好ましくは、フロントパネルを引き出しフレーム構造に解放可能に固定するために、ロック装置が容器に関係付けられるものと規定することができ、接続要素は、ロック装置をロック位置から解放位置に移動することによって容器から解放されうる。その場合、弾性的に取り付けられたキャッチ部分を備えることもでき、フロントパネルの接続要素がキャッチ部分に入ると、引き出しフレーム構造にキャッチ部分が自動的に引き寄せられて直ちにロックが行われる。
【００１６】
ロック装置が備えられるときでも可能な限り狭い設計形状を実現するために、好ましくは、ロック装置がやはり接続要素の板状部分に係合するものと規定される。この場合も、他の調整要素の横方向および高さ方向の移動に対して、十分なクリアランスがあるべきである。
【００１７】
フロントパネルの傾斜を調整する接続要素の板状部分にやはり係合することが好ましい第３の調整要素が提供されることは、本発明において除外されるべきでない。
【００１８】
好ましくは、調整要素およびロック装置は、好ましくは実際にねじ回しによって回転可能であり、移動可能であり、かつ自動ロック式であるように適合されるものとさらに規定されうる。その場合、個々の調整要素およびロック装置には、外側または内側のいずれかからねじ回しが届きうる。
【００１９】
引き出しがその２つの側部領域で延長ガイドに固定されるので、引き出しフレーム構造は、通常、引き出し内の両側部にある。その場合、固定装置を備える本発明による引き出しフレーム構造は、一方の側部のみにあってもよく、両側部にあってもよい。また、ともあれ、フロントパネルでも、他の引き出しフレーム構造において行われる調整が可能であるべきである。調整要素またはロック装置が両側部に備えられる場合、調整は両側部において行われるべきである。
【００２０】
また、請求項１〜１２のいずれか一項の引き出しフレーム構造を有する引き出しと、請求項１３に記載の引き出しを有する家具とに対して保護が要求される。
【００２１】
本発明のさらなる詳細および利点を、以下の図面に示す実施形態を参照し、具体的な記述によって以下でさらに詳しく説明する。
【図面の簡単な説明】
【００２２】
【図１】家具の図を示す。
【図２】最新技術に基づく固定装置の線図を示す。
【図３】本発明による固定装置の線図を示す。
【図４】固定装置を備える引き出しフレーム構造の分解図を示す。
【図５】組み立てられた状態における固定装置を備える引き出しフレーム構造を示す。
【図６】平常位置における横方向調整要素の断面を示す。
【図７】平常位置における高さ方向調整要素の断面を示す。
【図８】ロック状態におけるロック装置の断面を示す。
【図９】横方向調整要素の断面領域の平面図を示す。
【図１０】横方向調整要素の末端位置の図を示す。
【図１１】横方向調整要素の末端位置の図を示す。
【図１２】高さ方向調整要素の末端位置の図を示す。
【図１３】高さ方向調整要素の末端位置の図を示す。
【図１４】ロック位置におけるロック装置を示す。
【図１５】解放位置におけるロック装置を示す。
【図１６】接続要素の二分割板状部分の線図を示す。
【図１７】接続要素における接続要素の（ラッチ）位置を示す。
【図１８】接続要素における接続要素の（ラッチ）位置を示す。
【図１９】接続要素における接続要素の（ラッチ）位置を示す。
【発明を実施するための形態】
【００２３】
図１は、家具カーカス１７と、家具カーカス１７において押し込んで引き出すことができる引き出し１７とを備える家具１６を示す。この場合、引き出し１５は、引き出し容器８とフロントパネル７とを実質的に備え、引き出し容器８は、引き出し底部３１と、引き出し後壁３２と、フレーム構造取付８および引き出しフレーム構造５とを含む。引き出しフレーム構造５は、最新技術の場合と同程度の幅であるものとして図１に示されており、最新技術では、引き出し１５の充填容積が小さく抑えられる。
【００２４】
図２は、容器レール１９に接続される引き出しフレーム構造５の部分と、高さ方向ＨＲにおける中間板２０を移動する第１の調整要素２とを図式的に示す。その中間板２０には、横方向ＳＲに接続要素１０を介してフロントパネル７を移動する、さらなる調整要素１が、配置される。
【００２５】
本発明に従って図３に示すように、図２に示す中間板２０はもはや必要でない。むしろ、引き出しフレーム構造５に関係付けられるのは、横方向ＳＲと高さ方向ＨＲに移動する少なくとも２つの調整要素１および２であり、これら２つの調整要素は、いずれも接続要素９の同じ部分１０に係合し、保持延長部１２（好ましくは小杭の形をした）を介して、板状部分１０の移動によって引き出し容器８に対してフロントパネル７の位置を変える。さらに、固定装置６も、接続要素９の同じ板状部分１０に係合することが好ましいロック装置４を有しうる。本発明に従って、「容器に関係付けられる」という表現は、フロントパネル７が取り外された状態（接続要素９がフロントパネル７に取り付けられた状態）の調整要素１および２が引き出し８（またはフレーム構造５とその固定装置６）に配置されることを意味する。
【００２６】
図４は、引き出しフレーム構造５の固定装置６の基本的な構成部分を分解図で示す。その場合、容器側では、固定装置６は、実質的にＵ字形のプロファイル部材２２を含み、ここには個々の調整要素１および２とロック装置４および４ａとが配置され、プロントパネル側に接続要素９が配置される。引き出しフレーム構造５は、Ｕ字形のプロファイル部材２２と、引き出し容器の前部から後側まで延在する細長い基部２１とを実質的に備える。引き出し底部３１の下側に配置された容器レール１９が、その引き出しフレーム構造に取り付けられており、引き出し底部３１を介して、引き出し１５全体が延長ガイド（図示せず）に固定されうる。
【００２７】
固定装置６の基本的な部分は、ウォーム１３および駆動部材２６を含む第２の調整要素１と、偏心輪１４および位置決めナット２５を含む高さ方向ＨＲにおける移動のための第１の調整要素２と、ロックねじ２３、ロック要素２４、およびロックばね３０をそれぞれ含む２つのロック要素４および４ａとである。フロントパネル７を固定するとき、これに取り付けられる接続要素９が、Ｕ字形プロファイル部材２２の受入手段２７に導入される。その接続要素９は、個々の調整要素１および２またはロック装置４および４ａにそれぞれ係合する様々な凹所１１を備える板状部分１０を有する。保持延長部１２が、曲げ要素２８を介して板上部分１０にわずかに弾性的に屈曲可能に接続される。ロック装置４および４ａと第２の調整要素１に対応する凹所１１は、上から見て第２の凹所１１の中に係合する第１の調整要素２によって高さ方向に移動しうる高さ方向ＨＲに、十分なクリアランスＳＨＲを有する。
【００２８】
固定装置６の一様に広く同時に比較的狭い構造は、図５ではっきり分かる。そして同様に狭く一様に広いフレーム構造アタッチメント１８が、引き出しフレーム構造５のＵ字形プロファイル部材２２を介して基部２１に取り付けられうる。比較すると、特に、国際公開第２００９／００６６５１（Ａ２）パンフレットの図３では、下部領域で次第に広くなる引き出しフレーム構造を示しており、固定装置のすべての部分が通常はスペースを有しているはずがないので、引き出し容器の内部スペースも実質的に縮小されている。
【００２９】
詳細Ｄは、組み立てられた状態における固定装置６を示しており、接続要素９の板状部分１０は、個々の調整要素１、２およびロック装置４を有する凹所１１を介して、引き出しフレーム構造５と接続される。
【００３０】
図６において、ウォーム１３の断面Ａは、横方向ＳＲの移動がない場合の板状部分１０の平常位置を示す。
【００３１】
図７において、第１の要素２およびその偏心輪１４の詳細断面Ｂは、高さ方向ＨＲにおける板状部分１０の平常位置を示しており、横方向ＳＲに移動するための既に十分なクリアランスＳＳＲがある。位置決めナット２５は、Ｕ字形プロファイル部材２２（図４参照）に対応する押込みでラッチしうる多数のノブを有しており、それによって、偏心輪１４の移動後に自動ロック作用をもたらす。
【００３２】
図８において、詳細断面Ｃは、ロック装置４のロックねじ２３の断面を示しており、ロック要素２４はロック位置Ｖで部分１０に係合する。この領域でも、板状部分１０は、Ｕ字形プロファイル部材２２において横方向ＳＲに十分なクリアランスＳＳＲを有しており、第２の調整要素１による横方向の移動を可能にする。
【００３３】
図９は、横方向の移動を示しており、接続要素９の板状部分１０は、受入手段２７に挿入されると、Ｕ字形プロファイル部材２２の２つの側部の間のクランプ領域２９に入る。板状部分１０は、図９および１０の位置から出て、調整要素１のウォーム１３の回転によって図１１に示す位置に入り、それによって、容器８に対するフロントパネル７の位置が変更される。その場合、クランプ領域２９を中心とする板状部分１０のいわゆる旋回運動がある。図９に極端な形で示す、フロントパネル７の保持延長部１２の傾斜位置を補正するために、曲げ要素２８（図４参照）が、保持延長部１２と板状部分１０の間の接続領域に備えられる。
【００３４】
図９〜１１において分かるように、フレーム構造アタッチメント１８は、固定装置６全体およびＵ字形プロファイル部材２２に既に固定されており、個々の調整要素１および２またはロック装置４は、それぞれフレーム構造アタッチメント２２の開口からアクセス可能である。その場合、例示された実施形態とは対照的に、駆動は外側からも可能である。
【００３５】
図１２および１３は、第１の調整要素２の末端位置を示しており、詳細Ｇに従って、板状部分１０は、Ｕ字形プロファイル部材２２に対して高さ方向ＨＲに完全に下方に配置され、図３では、板状部分１０は、Ｕ字形プロファイル部材２２に対して高さ方向ＨＲに完全に下方に配置される。板状部分１０は、偏心輪１４の回転によって上方および下方に移動する。
【００３６】
図１４の詳細Ｊは、板状部分１０のロック位置Ｖにおけるロック装置４のロック要素２４を示す。対照的に、図１５の詳細Ｋでは、ロック要素２４は、ロックばね３０のばね力に抗して右方向矢印で示される方向のロックねじ２３の回転によって、解放位置Ｌに移動する。
【００３７】
その点に関して図１７において分かるように、ロック装置４のロックは、板状部分１０のロック溝３４におけるロック要素２４のラッチ係合によって行われうる。高さ方向ＨＲに移動するためのロック溝３４に関しては、任意の高さ位置においてロック要素２４が板状部分１０におけるロック位置Ｖに入りうることを保証する必要があるので、十分なクリアランスＳＨＲが設けられる。また、図１７からも分かるように、ロック要素２４は、板状部分１０が導入されると自動的にスナップ係合することができ、その場合、ロック要素２４は、ロックばね３０のばね力に抗して部分的に板状部分１０の上端に沿って摺動しうる。好ましくは、凹所１１自体は、ロック要素２４がロック位置Ｖにスナップ係合するロック溝を形成する。そのために、図１８は、部分１０がＵ字形プロファイル部材２２に押し込まれるときのロック要素２４の位置を示し、その場合、ロック要素２４は、ばね２０の力に抗して回転され、部分１０が完全に挿入されると、ロック要素２４は、上凹所１１にスナップ係合されてロック位置Ｖに入る。換言すると、ロック装置４は、ボタンインばね荷重回転ロック（ｂｕｔｔｏｎｅｄ−ｉｎ  ｓｐｒｉｎｇ−ｌｏａｄｅｄ  ｒｏｔａｒｙ  ｌｏｃｋ）の形をしている。一般に、ロック装置４は、固定装置６において単独または二重に（参照符号４および４ａ）提供されうることに留意されたい。
【００３８】
図１６は、接続要素９について請求項１に列挙される部分と同じ部分が必ずしも一体形である必要がないことを示す。むしろ、同じ部分１０が２つの異なる部分１０ａおよび１０ｂを備えていてもよく、ただし、フロントパネル７に取り付けられた状態では、互いに固定されて、移動できない位置関係にある。
【００３９】
本出願に示す調整要素１および２の実質的な利点は、これらの調整要素がいわゆる「メモリ効果」を有することである。すなわち、接続要素９が解放後に固定装置６の他の部分に再び接続されると、調整要素１および２は、これらの自動ロック作用に基づいて、既に以前に採用された位置に常に留まり、それによって、フロントパネル７を取り外して再び取り付けた後に新たな位置設定を行う必要がない。本調整要素１および２の好ましい変形物は、明らかにウォーム１３および偏心輪１４であるが、接続要素９の１つの同じ部分１０を介して引き出し容器８に対して同様の方法で、歯車伝動装置などの他の自動ロック調整要素またはフロントパネル９の移動を可能にする他の非自動ロック調整要素を除外するものではない。
【国際調査報告】
2013518622.tif 000022
2013518622.tif 000023
2013518622.tif 000024
2013518622.tif 000025